(57)【特許請求の範囲】
【請求項１】
キッチン壁または天井に取り付けられる排気ボックスと、この排気ボックスに取り付けられる下向き開口のフード部と、を備えて構成されているレンジフードであって、
前記排気ボックスと前記フード部との間に、フード部の水平調整のための隙間を確保するとともに、この隙間を可変するための調整手段を備えていることを特徴するレンジフード。
【請求項２】
前記隙間が、前記フード部の後側から前側に向かうにしたがって漸次低く傾斜するように、前記フード部の天板に設けた傾斜部によって確保されるようにしていることを特徴とする請求項１に記載のレンジフード。
【請求項３】
前記隙間が、前記排気ボックスの壁取付背面板を前記キッチン壁に取り付けたときに、前記排気ボックスのフード取付下面板が、前記フード部の後側から前側に向かうにしたがって漸次高く傾斜するように、前記排気ボックスの前記壁取付背面板、または、前記フード取付下面板を形成することで確保されるようにしていることを特徴とする請求項１に記載のレンジフード。
【請求項４】
前記調整手段が、前記排気ボックスの前記フード取付下面板の後側縁辺と前記フード部の後側縁辺との間に設けられる掛止部と、前記フード取付下面板の前側と前記フード部との間に設けられる隙間可変部材と、を備えていることを特徴とする請求項１から請求項３のいずれか１項に記載のレンジフード。
【発明の詳細な説明】
【技術分野】
【０００１】
本発明は、加熱調理器具の上方に設置されて、調理中に発生する廃ガス、油煙などの汚染空気をフード部で吸い込み捕集しながら屋外に排気するように構成されているレンジフードに係り、特に、下向きに開口する扁平箱型に形成されているフード部を、キッチン壁に取り付けられる排気ボックスに対して取付支持させるための取付構造に関する。
【背景技術】
【０００２】
近年では、底面視で略矩形形状の下向きに開口する扁平箱型に形成されているフード部を、キッチン壁に取り付けられる排気ボックスの下面に取り付け支持させているタイプ、所謂薄型レンジフードが支流になってきている（例えば、特許文献１など参照）。
ちなみに、排気ボックスに対するフード部の取り付けは、図１に示すように、フード部の略後半部側が、排気ボックスの吸込み口を有するフード取付下面板にネジ止めなどによって取付支持されるようになっている。
【特許文献１】特開２００７−１０７７５１号
【発明の開示】
【発明が解決しようとする課題】
【０００３】
ところで、扁平箱型に形成されているフード部では、図１に二点鎖線で示すように、フード部の前側が垂れ下がり、フード部の水平度が保たれない撓み現象が発生している。これは、システムキッチンとの兼ね合いを持たせたデザイン性などを重視してフード部の厚さ（高さ）が薄くなってきているために、フード部の構造上から、または、レンジフードが取り付け設置されるキッチン壁などの壁面自体が垂直でなくなるなどの種々の原因により発生しているものと推測されている。
【０００４】
しかしながら、フード部の水平度が保たれないなどの不具合が発生すると、システムキッチンのキャビネットと並設して組み込まれるタイプのレンジフードの場合では、キャビネットの下面とフード部の下向き開口部との間に段差が生じて、見栄えが損なわれることとなる。
また、フード部には、油煙などから分離されて捕獲された油脂分を回収するためのオイルトレイなどが備えられており、捕獲された油脂分がオイルトレイに向かって流れるように設計された油脂分の流下勾配が設けられているものであるが、フード部の水平度が崩れてしまうと、捕獲された油脂分の流れが変わり、油脂分を設計通りにオイルトレイに回収することができないなどの不具合が発生するおそれがあった。
【０００５】
そこで、本発明は、前記課題を解消するために創案されたものであり、フード部の水平度を調整することができるように改良されたレンジフードを提供することにある。
【課題を解決するための手段】
【０００６】
前記課題を解決するために、本発明では、キッチン壁または天井に取り付けられる排気ボックスと、この排気ボックスに取り付けられる下向き開口のフード部と、を備えて構成されているレンジフードであって、
前記排気ボックスのフード取付下面板と前記フード部の天板との間に、フード部の水平調整のための隙間を確保するとともに、この隙間の間隔を可変するための調整手段を備えていることを特徴する。
【０００７】
ここで、前記隙間が、前記フード部の後側から前側に向かうにしたがって漸次低く傾斜するように、前記フード部の天板に設けた傾斜部によって確保されるようにすることが好適なものとなる。
【０００８】
また、前記隙間が、前記排気ボックスの壁取付背面板を前記キッチン壁に取り付けたときに、前記排気ボックスのフード取付下面板が、前記フード部の後側から前側に向かうにしたがって漸次高く傾斜するように、前記排気ボックスの前記壁取付背面板、または、前記フード取付下面板を形成することで確保されるようにすることが好適なものとなる。
【０００９】
そして、本発明では、前記調整手段が、前記排気ボックスの前記フード取付下面板の後側縁辺と前記フード部の後側縁辺との間に設けられる掛止部と、前記フード取付下面板の前側と前記フード部との間に設けられる隙間可変部材と、を備えて構成されていることが好適なものとなる。
【００１０】
このような構成によれば、フード部の天板と排気ボックスのフード取付下面板との間に確保されている隙間の範囲で、調整手段の隙間可変部材によってフード部を上げ下げすることで、フード部の水平度を調整することができる。このとき、フード部は、排気ボックス後側縁辺との間に設けられる掛止部を支点として上下に動く。
【発明の効果】
【００１１】
本発明のレンジフードは以上のように構成されていることで、フード部が構造的な問題によって撓むように垂れ下がる。または、キッチン壁などの設置壁自体によって垂れ下がってフード部の水平度が崩れたときには、フード部の天板と排気ボックスのフード取付下面板との間に確保されている隙間を可変するように、調整手段の隙間可変部材によってフード部を上下させることで、調整手段の掛止部を支点としてフード部の水平度を調整することができる。
【発明を実施するための最良の形態】
【００１２】
以下、本発明の実施形態について、適宜図面を参照しながら詳細に説明する。
【００１３】
［第1の実施形態の説明］
図１は、第１の実施形態に係るレンジフードの一部を切欠して示す側面図である。図２は、同レンジフードの要部を拡大して示す断面図である。
なお、本実施形態では、キッチン壁に取り付けられて設置される壁取り付けタイプのレンジフードを挙げて説明する。
【００１４】
≪レンジフードの構成≫
レンジフードＡは、図示省略の加熱調理器具の略真上において設置されて、調理中に発生する油煙、水蒸気、熱気、廃ガスなどの汚染空気を吸引捕集して屋外に排気するように構成されている。
つまり、図１に示すように、レンジフードＡは、キッチン壁（室内壁）Ｋに取り付けられる排気ボックス２と、この排気ボックス２に連通状に取り付けられるフード部１とを備えて構成されている。
また、レンジフードＡは、図１および図２に示すように、排気ボックス２とフード部１との間に、フード部１の水平調整のための隙間Ｍを確保するとともに、この隙間Ｍを可変するための調整手段３を備えている。
【００１５】
≪フード部の構成≫
フード部１は、図１に示すように、下向き開口の扁平箱型に形成されている。そして、
フード部１は、天板１ａに連絡口４を備えている。
この連絡口４は、フード部１の水平調整が行われたときに、排気ボックス２の後記する吸込み口８に密着された接続状態が保たれるように、しかも、フード部１を排気ボックス２に取り付けるときに、吸込み口８が速やかに嵌め合わせ連結されるように、下向きに切り下げた開口形状で、なおかつ、適宜の弾性作用を有するようにフード部１の天板１ａに形成されている。
【００１６】
また、フード部１は、図１に示すように、下向き開口周縁部１ｂ側と連絡口４側とを仕切るように設けられるフードカバー５にグリスフィルタ６を備えている。これにより、調理中に発生する汚染空気がグリスフィルタ６を通過するときに、汚染空気中に含まれている油脂分などが分離されて捕獲されるようにしている。
【００１７】
さらに、フード部１は、図１に示すように、グリスフィルタ６の下側に、下向き開口周縁部１ｂとの間に吸込み隙間Ｓを確保するように、整流板７を備えている。これにより、汚染空気が整流板７に沿って吸込み隙間Ｓからフード部１内に吸気されるようにしている。
【００１８】
≪排気ボックスの構成≫
排気ボックス２は、図１に示すように、連絡口４が開設されているフード部１の後半部側において、フード部１を取付支持し得る程度の大きさを有する縦断面視で略四角形状に形成されている。そして、排気ボックス２は吸込み口８を備えている。
吸込み口８は、図１に示すように、排気ボックス２のフード取付下面板２ａから垂直に垂れ下がる下向きの筒形状に形成されている。これにより、フード部１が排気ボックスのフード取付下面板２ａに取り付けられるときに、フード部１の連絡口４に吸込み口８が速やかに嵌め合わされ、かつ、連絡口４が有する弾性作用によって密着状態に連結されるようにしている。
【００１９】
また、排気ボックス２は、周知のように、図示省略のファンケーシング、排気ファンおよびファンモータとで構成されている排気装置９を内部に備えている。
【００２０】
そして、このように構成されているフード部１の天板１ａと排気ボックス２のフード取付下面板２ａとの間に、フード部１の水平調整のための隙間Ｍを確保し、かつ、この隙間Ｍを適宜可変するための調整手段３を備えている。
【００２１】
≪調整手段の構成≫
調整手段３は、図１および図２に示すように、排気ボックス２のフード取付下面板２ａの後側縁辺とフード部１の天板２ａの後側縁辺とに設けられる掛止部３ａと、前記フード取付下面板２ａとフード部１の天板１ａとに設けられる隙間可変部材３ｂとを備えて構成されている。
【００２２】
掛止部３ａは、図２の（ａ）に示すように、排気ボックス２の壁取付背面板２ｂの下端から内側（フード部１の前側）に向けて略水平に折り曲げ突設させた支持辺部３ａ−１と、フード部１の天板１ａに取り付けて外側（フード部１の後方）に向けて略水平に突設させた引掛け辺部３ａ−２とで構成されている。
【００２３】
支持辺部３ａ−１は、図２の（ａ）に示すように、排気ボックス２のフード取付下面板２ａから適宜の間隔をおいて略平行に形成されている。これにより、フード部１側の引掛け辺部３ａ−２が支持辺部３ａ−１に引掛けられるように支持されることで、フード部１の天板１ａと排気ボックス２のフード取付下面板２ａとの間に隙間Ｍが確保されるようにしている。
なお、図示を省略しているが、支持辺部３ａ−１は、排気ボックス２の幅方向に断続的に、または、一連に連なるように、壁取付背面板２ｂから折り曲げ形成されている。
【００２４】
引掛け辺部３ａー２は、排気ボックス２に対し、フード部１が取り付けられる範囲において、フード部１の天板２ａの沿うように設けられるものであり、断面が略クランク形状に折り曲げられている板材をネジ止めやスポット溶接などによって取り付けられることで、支持辺部３ａー１に挿し込み掛止されるように形成されている。
【００２５】
隙間可変部材３ｂは、図２の（ｂ）に示すように、排気ボックス２のフード取付下面板２ａを貫通させて、フード部１の天板１ａにバーリング加工により形成されているネジ孔１０にねじ込み装着される第1のネジ３ｂ−１と、フード取付下面板２ａにバーリング加工により形成されているネジ孔１１にねじ込み装着されて、ネジ端部をフード部１の天板１ａに突き当てるための第２のネジ３ｂ−２との２本のネジから構成されている。
つまり、第２のネジ３ｂ−２は、フード部１の水平度を調整するために第１のネジ３ｂ−１により隙間Ｍの可変調整が行われた後に、ねじ込み締付けられることで、第１のネジ３ｂ−１の緩み止めを図るロックネジとして機能するようになっている。
【００２６】
［第1の実施形態に係るレンジフードの作用説明］
次に、以上のように構成されている第1の実施形態に係るレンジフードの作用について簡単に説明する。ここでは、図１および図２を適宜参照しながら説明する。
図１に二点鎖線で示すように、フード部１の前側が垂れ下がったときには、フード部１を実線で示す水平レベル位置まで上げるように、第１のネジ３ｂ−１を回す操作を行う。つまり、隙間Ｍの間隔を狭める方向に第１のネジ３ｂ−１を回す。このとき、第２のネジ３ｂ−２のネジ端部をフード部１の天板１ａから離間させた状態にしておく。
第１のネジ３ｂ−１の操作によって、垂れ下がるフード部１の前側は、排気ボックス２の支持辺部３ａ−１に対する引掛け辺部３ａ−２の掛止点を支点として、図１に実線で示す水平レベル位置まで引きが上げられる。
これにより、フード部１の水平度を調整することができる。そして、第１のネジ３ｂ−１によって、フード部１の水平度を調整した後に、第２のネジ部３ｂ−２のネジ端部がフード部１の天板１ａに突き当たるようにねじ込むことで、フード部１の水平度が保持される。
【００２７】
≪他の実施形態に係る隙間可変部材の構成≫
図３〜図５は、隙間可変部材の他の実施形態を示す断面図である。
図３は、前記した第１のネジ３ｂ−１と第２のネジ３ｂ−２との２本のネジの組み合わせからなる隙間可変部材３ｂにおいて、第１のネジ３ｂ−１をねじ込み装着するためのネジ孔１０を、排気ボックス２のフード取付下面板２ａ側に、そして、第２のネジ３ｂ−２をねじ込み装着するためのネジ孔１１を、フード部１の天板１ａ側にそれぞれ設けた形態を示す。
図４の場合では、図３と同じく第１のネジ３ｂ−１と第２のネジ３ｂ−２との２本のネジの組み合わせからなる隙間可変部材３ｂにおいて、第２のネジ３ｂ−２をねじ込み装着するためのネジ孔１１を、第１のネジ３ｂ−１のネジ孔１０側と同じフード部１の天板１ａ側に設けた形態を示す。
【００２８】
そして、図５では、隙間可変部材３ｂを、1本のネジ３ｂ−３とナット３ｂ−４との組み合わせによって構成した場合を示す。
斯かる実施形態では、排気ボックス２のフード取付下面板２ａを貫通させたネジ３ｂ−３をねじ込み装着するためのネジ孔１２を、フード部１の天板１ａ側に設けている。
すなわち、斯かる実施形態では、ネジ３ｂ−３を回す操作によって、フード部１の水平度を調整した後に、ナット３ｂ−４をねじ込み締付けることで、フード部１の水平度が保持されるようにしている。つまり、ナット３ｂ−４は、ネジ３ｂ−３の緩み止めを図るロックナットして機能するようにしている。
【００２９】
次に、図６〜図８にそれぞれ示す第２〜第４の実施形態について説明するが、斯かる実施形態では、排気ボックス２のフード取付下面板２ａとフード部１の天板１ａとの間に隙間Ｍを積極的に確保するための構造を示したものであり、隙間Ｍを積極的に確保するための新たな構造を加えた以外の構成要素においては、前記した第１の実施形態と基本的に同じことから同じ構成要素に同じ符合を付することで説明は省略する。
【００３０】
［第２の実施形態の説明］
図６は、第２の実施形態に係るレンジフードの一部を切欠して示す側面図である。
第２の実施形態では、図６に示すように、フード部１の後側辺縁から前側に向かうにしたがって漸次低く傾斜するように、フード部１の天板１ａに傾斜部１３が形成されている。
この傾斜部１３は、排気ボックス２のフード取付下面板２ａに相当する程度か、それよりもやや広めの面積にて天板１ａに形成されることで、フード取付下面板２ａとの間に隙間Ｍが積極的に確保されるようにしている。これにより、調整手段３によるフード部１の水平度を調整するための隙間Ｍの可変範囲を広くすることができる。
【００３１】
［第３の実施形態の説明］
図７は、第３の実施形態に係る本発明のレンジフードの一部を切欠して示す側面図である。
第３の実施形態では、図７に示すように、排気ボックス２の壁取付背面板２ｂをキッチン壁Ｋに取り付けた状態において、排気ボックス２のフード取付下面板２ａを、フード部１の後側辺縁から前側に向かうにしたがって漸次高く傾斜するように形成している。
つまり、フード取付下面板２ａと正面板２ｃとの連設コーナー角度θ１が鈍角で、フード取付下面板２ａと壁取付背面板２ｂとの連設コーナー角度θ２が鋭角になるように、フード取付下面板２ａを後側から前側に向けて傾斜させることで、フード部１の後側辺縁から前側に向かって漸次広くなる隙間Ｍが、フード部１の天板１ａとの間に確保されるようにしている。
【００３２】
［第４の実施形態の説明］
図８は、第４の実施形態に係る本発明のレンジフードの一部を切欠して示す側面図である。
第４の実施形態では、図８に示すように、排気ボックス２の壁取付背面板２ｂをキッチン壁Ｋに取り付けたときに、フード取付下面板２ａがフード部１の後側辺縁から前側に向かうにしたがって漸次高く傾斜するように、壁取付背面板２ｂを斜めに形成している。
つまり、壁取付背面板２ｂとフード取付下面板２ａとの連設コーナー角度θ３が鋭角で、壁取付背面板２ｂと上面板２ｄとの連設コーナー角度θ４が鈍角になるように、壁取付背面板２ｂを下端縁辺から上端縁辺側に向けて傾斜させることで、フード部１の後側縁辺から前側に向かって漸次広くなる隙間Ｍが、フード取付下面板２ａとフード部１の天板１ａとの間に確保されるようにしている。
【００３３】
なお、本発明の実施形態の具体的な構成は、前記した実施形態に限られるものではなく、請求項１〜請求項４に記載の本発明の要旨を逸脱しない範囲で設計変更などがあっても本発明に含まれるものである。
例えば、調節手段３の隙間可変部材３ｂを構成する第１のネジ３ｂ−１、第２のネジ３ｂ−２、そして単体のネジ３ｂ−３をそれぞれねじ込み装着するためのネジ孔１０，１１，１２は、ナット部材を溶接などにより取り付けることで形成することができる。
また、調節手段３の掛止部３ａを、適宜取り外すことができるように形成されているヒンジ構造とすることもできる。
【００３４】
また、調節手段３の隙間可変部材３ｂを構成する第１のネジ３ｂ−１、第２のネジ３ｂ−２、そして単体のネジ３ｂ−３は、排気ボックス２の幅方向（例えば、図１において紙面右側正面から見たときの左右幅方向）における両側にそれぞれ備えることができる。これにより、フード部１を排気ボックス２により安定よく取付支持させることができる。つまり、第１のネジ３ｂ−１、第２のネジ３ｂ−２、そして単体のネジ３ｂ−３、これらのネジの本数は特に限定されるものではなく、任意である。
【００３５】
また、フード部１の連絡口４と排気ボックスの吸込み口８との連結構造において、連結口４側を、垂直に立ち上がる上向きの筒形状に形成する一方で、吸込み口８側を、上向きに切り起こされた開口形状で、なおかつ、適宜の弾性作用を有するように形成することができる。
【図面の簡単な説明】
【００３６】
【図１】第１の実施形態に係るレンジフードの一部を切欠して示す側面図である。
【図２】同レンジフードの要部を拡大して示す断面図であり、（ａ）は、排気ボックスの下面後側縁辺とフード部の後側縁辺とを連結するための掛止部を示し、（ｂ）は、フード部を水平に調整し得るように、排気ボックスとフード部との間に設けられる隙間可変部材を示す。
【図３】排気ボックスとフード部との間に設けられる隙間可変部材の他の実施形態を拡大して示す断面図である。
【図４】同隙間可変部材の他の実施形態を示す拡大断面図である。
【図５】同隙間可変部材の他の実施形態を示す拡大断面図である。
【図６】第２の実施形態に係るレンジフードの一部を切欠して示す側面図である。
【図７】第３の実施形態に係るレンジフードの一部を切欠して示す側面図である。
【図８】第４の実施形態に係るレンジフードの一部を切欠して示す側面図である。
【符号の説明】
【００３７】
Ａ      レンジフード
１      フード部
１ａ    天板
２      排気ボックス
２ａ    フード取付下面板
２ｂ    壁取付背面板
２ｃ    正面板
２ｄ    上面板
３      調整手段
３ａ    掛止部
３ｂ    隙間可変部材
Ｍ      隙間
【図１】
0004864820.tif 000002
【図２】
0004864820.tif 000003
【図３】
0004864820.tif 000004
【図４】
0004864820.tif 000005
【図５】
0004864820.tif 000006
【図６】
0004864820.tif 000007
【図７】
0004864820.tif 000008
【図８】
0004864820.tif 000009